(57)【要約】【課題】巨大地震発生時、大型の液体貯蔵タンク内で発生し災害の要因となる大規模なスロッシング現象の発生を阻止する。【解決手段】  大型の液体貯蔵タンク内に、液体が自由に移動可能な流動孔を有する任意数・任意形状の仕切り壁を設置しタンク本体を上下方向に分割多槽化し災害の要因となる大規模なスロッシング現象の発生を阻止すると共に多槽化により浮き屋根または浮き屋根に替わる浮遊蓋の小型化・軽量化を図る。【選択図】  図１
2005280837.tif 000002
【特許請求の範囲】
【請求項１】
液体貯蔵タンク内を、貯蔵された液体が自由に流動可能な任意数・任意形状の流動孔を有する任意数・任意形状の仕切り壁により単槽式タンク本体を上下方向に分割し多槽化した貯蔵槽を内蔵する縦置鋼製円筒型液体貯蔵タンクの構造。
【発明の詳細な説明】
【技術の分野】
【０００１】  本発明は、巨大地震発生時、長周期地震動との共振作用によって発生する貯蔵液体の大規模な液体の跳ね揺れ（スロッシング）の発生を阻止し、貯蔵液体の漏洩や火災を防ぐ目的で考案された縦置鋼製円筒型液体貯蔵タンクに関するものである。
【背景技術】
【０００２】  従来の縦置鋼製円筒型液体貯蔵タンクは、貯蔵液体の種類・タンクの大きさに関わらず仕切り壁で分割されていない単槽型であった。このため巨大地震発生時、タンク内の液体は内径が巨大化すると共に長周期地震動との共振作用により異常に大きなスロッシングがしばしば発生した。特に、災害と液体の蒸発防止対策用として液面上に設けられた浮き屋根は、液面に密着し追動するのでスロッシングにより液面の傾斜量が増大するにつれてタンク側壁との間隙が増加し、時には浮き屋根上に液体が溢れ出たり、傾き上昇した浮き屋根の一端がタンク側壁の上端を越えこの間隙から液体が外部に溢れ出たこともあった。空気との接触面積の増加に伴い、引火性の高い液体にあってはタンクの側壁と浮き屋根との接触による火花や液体の流出に伴って発生する静電気、或いはタンク周辺の高温などの原因により火災が発生し消火不能になるほどの大災害をもたらした事例もあった。
これは貴重な資源を浪費するばかりでなく、環境問題にも重大な弊害をもたらす要因にもなった。【０００３】  従来の単槽型タンクにあっては、タンクが巨大化し内径が大きくなるに従い一体型の浮き屋根本体も巨大化し大規模なスロッシングにより巨大な外力を受けるので、破壊に対抗できる大幅な増強を必要とした。また、浮き屋根上に溜まった雨水の処理対策も別途必要であった。
【特許文献１】  特開  平０８−１１９３８３
【特許文献２】  特開  ２０００−１２８２８１
【特許文献３】  特開  ２００１−０４８２８６
【発明の開示】
【発明が解決しようとする課題】
【０００４】  解決しようとする問題点は、巨大地震発生時に貯蔵タンク内で発生し災害の要因となる大規模なスロッシング現象の発生を阻止する対策ができなかった点にある。
〔課題を解決するための手段】【０００５】  本発明は、貯蔵タンク内に液体が自由に移動可能な流動孔を有する仕切り壁を設置しタンク本体を上下方向に分割多槽化し異常に大きなスロッシング現象の発生を阻止することを最も主要な特徴とする。
【発明の効果】
【０００６】  本発明の流動孔を有する仕切り壁は、タンク内の液体を多槽化しその表面積を分割・縮小化し、巨大地震発生時、長周期地震動との共振作用を防ぎ大規模なスロッシング現象の発生を阻止すると共に、流動孔周辺の仕切り壁が各貯蔵槽間の液体流動のタイムラグを誘引し、単槽型タンクで見られるような大規模なスロッシングを消滅させ、未然に災害の発生を防ぐことができる。これは、貴重な液体資源の保全や災害の防止・環境の保護に貢献できる。【０００７】  仕切り壁を利用して固定式屋根の補強桁を支持する中間支持柱を設置できるので固定式屋根を軽量化し安価な構造にできる。【０００８】  固定式屋根を設けた場合、浮き屋根に替わって液体蒸発防止専用に設けられた浮遊蓋は仕切り壁によって小型化しスロッシングからも開放され雨水の防止対策も不要になるので図４  に見られるように簡単で安価な構造にできる。
【発明を実施するための最良の形態】
【０００９】  異常に大きなスロッシング現象の発生を阻止し、巨大地震発生時の災害を防ぐ目的をタンク内に流動孔を有する仕切り壁を設置することにより実現した。【００１０】  雨水や積雪防御用の固定式屋根の補強桁を支持する中間支持柱を設置できるので、屋根全体の軽量化が図られる。【００１１】  液体の蒸発を防ぐ目的で設けられる浮遊蓋は仕切り壁によって小型化し、スロッシングによる影響がほぼ消滅するので軽量化し安価にでる。
【実施例】
【００１２】  図１は、図２のＡ−Ａ方向から見た、本発明の１実施例のタンク外壁の一部を削除した仕切り壁関連の構造を示した斜視図である。【００１３】  図４は、本発明の浮遊蓋の１実施例を示したものである。この浮遊蓋は、雨水並びに積雪などの浸入を固定式屋根で阻止され、かつ仕切り壁でスロッシングから開放されているので、図に見られるように簡単な構造にできる。
【産業上の利用可能性】
【００１４】  仕切り壁は図１〜３に見られるように既設の単槽型タンク内に容易に追加新設できる。また、上記の固定式屋根・浮遊蓋も従来の単槽型タンクのものに較べ軽量かつ安価に提供でき、貴重な資源の保全・災害の防止・環境の保護に貢献できる。
【図面の簡単な説明】
【００１５】
【図１】  図２のＡ−Ａ方向から見たタンク外壁の一部を削除した仕切り壁関連の構造を示した斜視図である。（実施例１）
【図２】  平面図
【図３】  図２のＡ−Ａ断面立面図
【図４】  浮遊蓋の端部断面要領図（実施例２）
【符号の説明】
【００１６】  １  タンク側壁
２  貯蔵槽
３  仕切り壁
４  流動孔
５  浮遊蓋
５ａ  可撓性シート支持用浮体
５ｂ  マグネットシート
５ｃ  蒸発防止用可撓シート
６  固定式屋根
７  固定式屋根補強材
８  支持柱
【図１】
2005280837.tif 000003
【図２】
2005280837.tif 000004
【図３】
2005280837.tif 000005
【図４】
2005280837.tif 000006
【手続補正書】
【提出日】平成16年10月8日(2004.10.8)
【手続補正１】
【補正対象書類名】特許請求の範囲
【補正対象項目名】請求項１
【補正方法】変更
【補正の内容】
【請求項１】
液体貯蔵タンク内を、貯蔵された液体が自由に流動可能な任意数・任意形状の流動孔を有する任意数・任意形状の仕切り壁により短槽式タンク本体を上下方向に分割し多槽化した貯蔵槽を内蔵する縦置円筒型液体貯蔵タンクの構造。
【手続補正２】
【補正対象書類名】明細書
【補正対象項目名】発明の名称  ０００１  ０００２
【補正方法】変更
【補正の内容】
【発明の名称】縦置円筒型液体貯蔵タンクの構造【技術分野】【０００１】  本発明は、巨大地震発生時、長周期地震動との共振作用によって発生する貯蔵液体の大規模な液体の跳ね揺れ（スロッシング）の発生を阻止し、貯蔵液体の漏洩や火災を防ぐ目的で考案された縦置円筒型液体貯蔵タンクに関するものである。【背景技術】【０００２】  従来の縦置円筒型液体貯蔵タンクは、貯蔵液体の種類・タンクの大きさに関わらず仕切り壁で分割されていない単槽型であった。このため巨大地震発生時、タンク内の液体は内径が巨大化すると共に長周期地震動との共振作用により異常に大きなスロッシングがしばしば発生した。特に、災害と液体の蒸発防止対策用として液面上に設けられた浮き屋根は、液面に密着し追動するのでスロッシングにより液面の傾斜量が増大するにつれてタンク側壁との間隙が増加し、時には浮き屋根上に液体が溢れ出たり、傾き上昇した浮き屋根の一端がタンク側壁の上端を越えこの間隙から液体が外部に溢れ出たこともあった。空気との接触面積の増加に伴い、引火性の高い液体にあってはタンクの側壁と浮き屋根との接触による火花や液体の流出に伴って発生する静電気、或いはタンク周辺の高温などの原因により火災が発生し消火不能になるほどの大災害をもたらした事例もあった。  これは貴重な資源を浪費するばかりでなく、環境問題にも重大な弊害をもたらす要因にもなった。【手続補正書】
【提出日】平成16年12月3日(2004.12.3)
【手続補正２】
【補正対象書類名】手続補正書
【補正対象項目名】手続補正書３
【補正方法】追加
【補正の内容】
【手続補正３】
【補正対象書類名】明細書
【補正対象項目名】０００１
【補正方法】変更
【補正の内容】
【０００１】    本発明は、巨大地震発生時、長周期地震動との共振作用によって発生する貯蔵液体の大規模な液体の跳ね揺れ（スロッシング）の発生を阻止し、貯蔵液体の漏洩や火災を防ぐ目的で考案された縦置円筒型液体貯蔵タンクに関するものである。
【手続補正３】
【補正対象書類名】手続補正書
【補正対象項目名】手続補正書４
【補正方法】追加
【補正の内容】
【手続補正４】
【補正対象書類名】明細書
【補正対象項目名】０００２
【補正方法】変更
【補正の内容】
【０００２】    従来の縦置円筒型液体貯蔵タンクは、貯蔵液体の種類・タンクの大きさに関わらず仕切り壁で分割されていない単槽型であった。このため巨大地震発生時、タンク内の液体は内径が巨大化すると共に長周期地震動との共振作用により異常に大きなスロッシングがしばしば発生した。特に、災害と液体の蒸発防止対策用として液面上に設けられた浮き屋根は、液面に密着し追動するのでスロッシングにより液面の傾斜量が増大するにつれてタンク側壁との間隙が増加し、時には浮き屋根上に液体が溢れ出たり、傾き上昇した浮き屋根の一端がタンク側壁の上端を越えこの間隙から液体が外部に溢れ出たこともあった。空気との接触面積の増加に伴い、引火性の高い液体にあってはタンクの側壁と浮き屋根との接触による火花や液体の流出に伴って発生する静電気、或いはタンク周辺の高温などの原因により火災が発生し消火不能になるほどの大災害をもたらした事例もあった。  これは貴重な資源を浪費するばかりでなく、環境問題にも重大な弊害をもたらす要因にもなった。
【手続補正書】
【提出日】平成16年12月3日(2004.12.3)
【手続補正１】
【補正対象書類名】特許請求の範囲
【補正対象項目名】請求項１
【補正方法】変更
【補正の内容】
【請求項１】
液体貯蔵タンク内を、貯蔵された液体が自由に流動可能な任意数・任意形状の流動孔を有する任意数・任意形状の仕切り壁により単槽式タンク本体を上下方向に分割し多槽化した貯蔵槽を内蔵する縦置円筒型液体貯蔵タンクの構造。